Podtech/llm-jp-corpus-v4-ja_patent huggingface dataset:
(57)【要約】【課題】石詰め護岸において、蓋網の上を植栽のために土で覆ったとき、覆土が滑落し難いようにする。【解決手段】法面にふとん籠３を敷き並べ、各籠に石塊２を詰め、蓋網６をかける。この蓋網の上に、上下のふとん籠３の継ぎ目に沿って、覆土滑落防止レール２０を取り付ける。このレールは、本体が波状断面の薄い鉄板１１からなり、その両端に取り付けた支持金具１２で立っている。支持金具は、転倒しにくいよう逆Ｔの字型になっており、その底板１２ａには孔１３があり、この孔に通したクリップ金具１４を蓋網６に掛け留めてレールを固定する。工事の最終段階で、蓋網６の上に覆土１５をかける。滑落防止レール１０は土の下に埋もれた状態になり、大雨時などに覆土が蓋網に沿って滑落するのを防止する。【選択図】        図３
2005256425.tif 000002
【特許請求の範囲】
【請求項１】
格子状の枠を法面に設置し、該枠の中に石塊を詰め、その上に蓋網を被せたものにおいて、その蓋網に滑落防止レールを何段にも渡って立設したことを特徴とする石詰め護岸。
【請求項２】
該蓋網の上に土を盛った請求項１に記載の石詰め護岸。
【請求項３】
該滑落防止レールが、レール本体とその両端の支持金具からなり、各支持金具は、該レール本体を立った状態に保持するために逆Ｔ字型またはＬ字型をしており、この支持金具を該蓋網に係止するようにした請求項１または２に記載の石詰め護岸。
【発明の詳細な説明】
【技術分野】
【０００１】
この発明は、河川等の護岸を覆うように格子枠を構築し、中に石塊を詰めて護岸を洗掘から保護するための石詰め護岸に関する。
【背景技術】
【０００２】
図１に示すように格子状の枠１の中に石塊２を詰めて法面を覆うようにした石詰め工法が従来からある。この工法は、コンクリートを使用せず、自然の景観を少なからず残すことができるので今でもよく用いられる。
【０００３】
石を詰める格子枠１は、従来は金網製の箱状の籠３（ふとん籠）をつなぎ合わせて作られていたが（同図（ａ））、石塊を詰めるとき籠が変形しやすいなど、作業性がよくない。そこで同図（ｂ）に示すように、金網を敷いた上に鋼製パネル５を用いて格子枠１を組み立てる方法も開発されている（実公平７−４３１５２号公報）。
【０００４】
（ａ）（ｂ）いずれのものも大抵の場合、石塊２が流出しないように、上に蓋網６を被せる。さらに、蓋網の上に土を盛って芝など植栽を施す。しかし、植物がしっかり根を張るまでは、覆土は蓋網の上を滑落し易いという問題がある。また、工事中、作業員が蓋網の上を歩く必要があるが、傾斜している蓋網の上は滑りやすく、作業性が悪いだけでなく、怪我のおそれもある。
【０００５】
法面の傾斜が大きく、例えば角度が２５度位になると、蓋網の上に覆土をしても、土が滑落しやすいので、覆土は行わないのが普通である。この露出した蓋網の上に、工事後、一般の人が立ち入ることがあるので、人が滑らないように何らかの対策を講じておく必要がある。対策として、表面がざらざらで滑りにくくした粗面メッキ鉄線を蓋網の線材として使う方法がある。しかし、粗面メッキ鉄線は値段が高いだけで、滑り止めの効果はそれほど高くない。
【発明の開示】
【発明が解決しようとする課題】
【０００６】
この発明は、詰め石の上を覆っている蓋網の上を安全に歩けるようにすること、および、蓋網の上に土を盛ったとき、覆土が滑落し難いようにすることを課題とする。
【課題を解決するための手段】
【０００７】
この発明の石詰め護岸は、法面を格子状の枠で覆い、各セルに石塊を詰め、その上に蓋網を被せたものにおいて、その蓋網に滑落防止レールを何段にも渡って立設したことを特徴とする（請求項１）。このように蓋網の上に滑り止めレールを設けたので、該レールに沿ってステップ代わりにして斜面を安全に上り下りすることができる。
【０００８】
堤防に植栽を施すために、蓋網の上に土を盛ることもできる。この場合、滑落防止レールは土の中に埋もれ、覆土の滑落を防ぐことができる（請求項２）。
【０００９】
滑り止めレールは、構造的に様々のものが考えられるが、好ましくは、レール本体とその両端の支持金具から構成し、各支持金具は、該レール本体を立った状態に保持するために逆Ｔ字型またはＬ字型に形成し、この支持金具を蓋網に針金等を使って係止するようにする（請求項３）。こうすれば、滑り止めレールが安価に提供でき、工事も簡単に済む。
【発明を実施するための最良の形態】
【００１０】
図２は、図１に示す石詰め護岸に覆土滑落防止のためのレール１０を設けたものあり、レールの断面を図３に示す。このレールは、本体が波状断面の薄い鉄板１１からなり、寸法はこれに限定されるわけではないが、高さ100mm、長さ900mmほどである。レール本体１１は両端の支持金具１２で立っており、支持金具は、転倒しにくいよう逆Ｔの字型になっている。すなわち、底板１２ａの上に支持板１２ｂを垂直に立て、この支持板に波板１１がボルト締めされている。底板１２ａには孔１３があり、この孔に通したクリップ金具１４を蓋網６に掛け留めてレールを固定する。クリップ金具の代わりに針金を孔１３に通して蓋網６と固縛するようにしてもよい。この例では、覆土滑落防止レールは格子枠１の横部材に沿ってほぼ連続して設けてあり（図２）、上下のレールの間隔は1.5mほどである。
【００１１】
この滑落防止レール１０は、石詰めが終わった格子枠１に蓋網６を仮止めしながら、蓋網に早い段階で取り付けていく。こうすれば、蓋網６を格子枠１（ふとん籠３または鋼製パネル５）に固定する作業中に作業員が蓋網の上で滑って転倒したような場合でも、滑落防止レール１０でブロックされるので、川の中まで転落するような大きな事故にはならない。
【００１２】
工事の最終段階で、蓋網の上に覆土１５を例えば300mmほどの深さで被せる。滑落防止レール１０は土の下に埋もれた状態になり、大雨時などに覆土が蓋網に沿って滑落するのを防止する。
【００１３】
図５は、土盛りを行わない護岸であり、この場合の滑落防止レール２０は、蓋網の上を歩く人がステップのように使用できるようにしたものである。レールは高さは30mmほどのアングルで構成し、レールとレールの上下の間隔は500mmほどである。レールの両側には孔２１があいており、これにクリップ金具１４（または針金）を通して蓋網に固定する点は前のものと同じである。
【図面の簡単な説明】
【００１４】
【図１】従来の石詰護岸の斜視図である。
【図２】覆土滑落防止レールを取り付けた石詰護岸の斜視図である。
【図３】覆土滑落防止レールの横断面図である。
【図４】図３のＡ−Ａ断面図である。
【図５】人が安全に登り下りできるように設けた滑落防止レールの断面図である。
【符号の説明】
【００１５】
１  格子枠
２  石塊
３  ふとん籠
５  鋼製パネル
６  蓋網
１０  滑落防止レール
１２  支持金具
１５  覆土
２０  滑落防止レール
【図１】
2005256425.tif 000003
【図２】
2005256425.tif 000004
【図３】
2005256425.tif 000005
【図４】
2005256425.tif 000006
【図５】
2005256425.tif 000007
(57)【要約】      （修正有）【課題】風力発電機に取付けられる回転羽根の高音を消去する。【解決手段】回転羽根の裏側に渦流発生を起こす突起のある素材をはりつけるか又は、金形で突起が付いた羽根を製造するかの方法で回転羽根高音が消去する。【選択図】図３
2005256829.tif 000002
【特許請求の範囲】
【請求項１】
風力によって回転するプロペラ羽根の裏側に突起した素材をはり付け、回転音（風切音）を消去する製法
【発明の詳細な説明】
【発明の詳細な説明】
【０００１】［発明の属する技術分野］  本発明は風力発電機の前面に取付けられている回転羽根は風速が増す毎に高速回転となり、異常な騒音となる。  この回転する羽根の裏面に渦流が発生する素材をはり付ける事により回転音（風切音）を消去出来る。
【０００２】［従来の技術］  従来、回転するプロペラ形の羽根は回転音を少なくする為に羽根の先端形状に曲がりを付ける翼端製法開発はあったが高音を消去する技術は無い。
【０００３】［発明が解決しようとする課題］通常は回転羽根に当たった風は後方に飛ぶ事になるがその風を羽根裏面にはり付けさせる事である。  そのためには、羽根の裏面に渦流の発生する羽根仕様の製法が課題であった。
【０００４】［課題を解決するための手段］  上記目的を達成するためには回転羽根で受けた風を羽根裏面に巻きつかせる。それには羽根裏面の一部分に突起した素材を取り付ける。  これにより羽根裏面は渦流状態となり音は消去する。
【０００５】［発明実施の形態］  風力発電機の回転音消去の実施は、小型風力発電機でも実施出来る。発電機は羽根で回転する機種はアップウインド、又はダウンウインド型と称されいずれも３枚又は２枚羽根となっている。  大型小型に関係なくこの羽根裏面に渦流の発生する突起物付きの羽根を製法する。  実際に回転する羽根に渦流の発生する仕様で製造した羽根で実験した結果、高速回転でも高音騒音も発しなく音は消去出来た。
【０００６】［発明の効果］  このような仕様で回転羽根裏面を渦流の発生する製法にすると、高速で回転しても羽根裏面に風が突き抜けないで絡み付き高音が消去される。  新エネルギー時代に高い普及効果をもたらす。
【図面の簡単な説明】
【図１】回転羽根の表面図である。
【図２】回転羽根の裏面図である。
【図３】回転羽根改良の裏面図である。
【符号の説明】
１．回転羽根表面  ２．回転羽根裏面  ３．回転羽根製法の裏面
【図１】
2005256829.tif 000003
【図２】
2005256829.tif 000004
【図３】
2005256829.tif 000005
(57)【要約】【課題】安価な電力を獲得するため、および設置の容易な発電の方法を提供したい。【解決手段】水の重量を利用し、下方に向かう重力の作用によって発電機を回転させ、水を排出して得られる軽量化を利用することによって、たび重なる上下動の繰り返しを可能ならしめて目的を達成したい【選択図】        図  １
2005256830.tif 000002
【特許請求の範囲】
【請求項１】
水槽（１）の下部に定量水栓（２）を設け、受水槽（３）および受水層（４）が上下動を繰り返すたびに反復して適量の貯水がなされるよう構成する。受水槽（３）および（４）の底面に水抜き穴（５）および（６）を設け、それに対応する止水蓋（７）および（８）を設置する。
止水蓋（７）および（８）のそれぞれの一方は開閉の自在を得るために回転の可能な軸と軸受けによって取り付け、他方は受水層（３）および（４）の上方にまで延長をなしてさらに外方向へ折り曲げる構造とする。
その後、発電機（９）の回転軸（１０）にプーリー（１１）を取り付け、これに圧着して回転を強制するためのベルト（１２）を設置、この一方に受水槽（３）をそして他方に受水槽（４）を取り付ける。
受水槽（３）および（４）が落下して行く道筋の適切な位置に、止水蓋（７）および（８）の外方向に折り曲げた部分が押されて水抜き穴（５）および（６）が開放されるための突出部（１３）および（１４）を配置して成る水の重力による発電の方法。
【発明の詳細な説明】
【技術分野】
【０００１】この発明は水の重力を利用した発電方法に係るものである。
【背景技術】
【０００２】これまでは電力会社、ソーラー、または風力を主として利用してきた。
【発明の開示】
【発明が解決しようとする課題】
【０００３】より安価により簡単に電力を獲得したい。
【課題を解決するための手段】
【０００４】水の持つ重力を利用、小規模な受水槽を使用して下方に向かう力を発電機に伝達し、電力の獲得を図ろうとするものであり、しかも自動的に下降および上昇を度重ねて繰り返す構成を求めた。
【発明の効果】
【０００５】装置の製作価格および維持費用ともに安価である上、設置は簡単、天候に影響されることも無くしかも実施上の害も発生することが無い。
【発明を実施するための最良の形態】
【０００６】高層ビルまたは家庭用のそれぞれについて装置の大小がふさわしく設計されることが望ましく、バッテリー、あるいはキャパシターに充電を行い棄却した水をふたたび汲み上げて再利用ができ、かつ余剰の電力が作れるならば理想的である。
止水蓋の外方向への折り曲げ部先端には車を取り付けるなどするならば円滑な動作が獲得できる。
【実施例】
【０００７】雨水または水道水に満たされた水槽（１）から定量水栓（２）により適量の水が受水槽（３）へ注入される。
重量を増した受水槽（３）が下降するに伴い発電機（９）の回転軸（１０）に取り付けられたプーリー（１１）がベルト（１２）の圧着する力の作用により回転して発電する。
到達点に達する手前の適切な位置に設置をされた突出部（１３）によって止水蓋（７）の外方向に折り曲げた部分が押される結果、水抜き穴（５）が開放され内部の水は棄却される。
その際、上方の受水槽（４）が給水を受け、同様に連続して発電の作用が繰り返されてゆく。
【図面の簡単な説明】
【０００８】
【図１】この発明の説明図である。
【符号の説明】
【０００９】（１）水槽          （８）止水蓋
（２）定量水栓      （９）発電機
（３）受水槽        （１０）回転軸
（４）受水槽        （１１）プーリー
（５）水抜き穴      （１２）ベルト
（６）水抜き穴      （１３）突出部
（７）止水蓋        （１４）突出部
【図１】
2005256830.tif 000003
(57)【要約】【課題】  油井管の肉厚が異なる場合に、油井管の内径とねじ継手のシールショルダ部の内径に段差を生じ、油井管内を通る流体に対して大きな流動抵抗となる。【解決手段】  内径の異なる油井管２１、２２を接続する油井管ねじ継手１０において、油井管の端部に当接するシールショルダ部１１の内周面１２を、油井管２１、２２に接する部分が油井管２１、２２のそれぞれの内周面に一致し、中間部が円滑に変化する面に形成した。【選択図】        図１
2005256885.tif 000002
【特許請求の範囲】
【請求項１】
内径の異なる油井管を接続する油井管ねじ継手において、接続する油井管の端部に当接するシールショルダ部を設け、該シールショルダ部の内周面を、油井管に接する部分が接続すべき油井管のそれぞれの内周面に一致し中間部が円滑に変化する面に形成したことを特徴とする油井管ねじ継手。
【発明の詳細な説明】
【技術分野】
【０００１】
本発明は、油井管同士を接続する油井管ねじ継手に関する。
【背景技術】
【０００２】
近時、石油掘削の深度はますます深くなりつつあり、油井管の長さが長くなる傾向にある。油井管は、継手によって接続しながら吊下する。長さの長い油井管では、吊り下げ荷重が大きくなり、また各種の原因による衝撃荷重等を避けることは出来ないので、油井管の上部管では、肉厚の大きい管を使用する必要が生じている。
【０００３】
一方、油井管の継手は、一般に、ねじ継手が用いられ、継手のシール性を重視する油井管では、継手の中央にシールショルダを設けることがある。従来、ねじ継手の中央に設けるシールショルダは、上下の油井管の内径に差がないので、同一の内径に形成されている（例えば、特許文献１参照。）
このような従来のねじ継手では、接続する油井管の内径が異なる場合に、肉厚で内径の小さい管に隣接する部分では、油井管の内径とねじ継手のシールショルダ部の内径に段差を生ずる。このような段差は油井管内を通る流体に対して大きな流動抵抗となるという問題がある。
【特許文献１】特開２００３−７４７６３号公報（第７頁、図３）
【発明の開示】
【発明が解決しようとする課題】
【０００４】
本発明は上記問題点を解決し、油井管内部の流体の流動抵抗を少なくした油井管ねじ継手を提供することを目的とするものである。
【課題を解決するための手段】
【０００５】
本発明は、上記問題点を解決するためになされたもので、次の技術手段を講じたことを特徴とする油井管ねじ継手である。すなわち、本発明は、内径の異なる油井管を接続する油井管ねじ継手において、接続する油井管の端部に当接するシールショルダ部を設け、該シールショルダ部の内周面を、油井管に当接する部分が接続すべき油井管のそれぞれの内周面に一致し中間部が円滑に変化する面に形成したことを特徴とする油井管ねじ継手である。
【０００６】
本発明のねじ継手は、接続する油井管の端部の雄ねじに螺合する雌ねじを両端に有し、その中間部に油井管の端部に当接するシールショルダ部を備えている。このシールショルダ部の端部の内周面を油井管のそれぞれの内周面に一致させ、その中間部をなめらかな曲面で連結した形状に成形する。このことにより、油井管の内面とシールショルダの内周面に段差がなくなり、油井管内を通る流体抵抗が著しく小さくなる。
【発明の効果】
【０００７】
本発明の油井管ねじ継手は以上のように構成されているので、油井管の内周面とシールショルダの内周面に段差がなくなり、油井管内を通る流体抵抗が著しく小さくなるという優れた効果を奏する。
【発明を実施するための最良の形態】
【０００８】
本発明は、シールショルダ部の内周面を内径の異なる上下の油井管の各内周面と面一になるように形成した油井管ねじ継手である。このような油井管ねじ継手は、、ショルダの内周面をなめらかな異径面に機械加工することにより製造することができる。この油井管ねじ継手では油井管の内部を流動する流体の流動抵抗がシールショルダと油井管内面との段差部で大きくなるのを防止し、流動抵抗を減少させる。
【０００９】
以下図面を参照して本発明の実施の形態を説明する。
【００１０】
図２は上側の油井管２１の下端雄ねじ部と、下側の油井管２２の上端雄ねじ部とを油井管ねじ継手１０の雌ねじに螺合することによって上側の油井管２１と下側の油井管２２とを結合した結合部の断面図を示すものである。通常は、下側の油井管２２と油井管ねじ継手１０とは予め所定のトルクで組み合わされており、上側の油井管２１を現場でねじ込む。油井管ねじ継手１０は、上下の油井管２１、２２と螺合する雌ねじを備え、中間部にシールショルダ１１を備えている。シールショルダ１１の上下端面には、油井管２１、２２の端部の丸み２３、２４と密に接する凹部１５、１６を有し、油井管２１、２２をこの油井管ねじ継手１０を介して結合したとき、この丸み２３、２４と凹部１５、１６とが緊密にシール部を構成するように形成されている。
【００１１】
図３は、従来のシールショルダ１１の拡大図を示す断面図である。シールショルダ１１の内周面１３は一様な直径を有し、上側の肉厚の油井管２１の内径と段差１４がある。この段差１４は半径での差異寸法である。
【００１２】
図１は本発明の実施例の油井管ねじ継手１０を示す断面図である。この油井管ねじ継手１０のシールショルダ１１の内周面１２は、上側の肉厚の油井管２１の内周面２５と面一になっており、下側の通常の肉厚の油井管２２の内周面２６と面一になっている。そして中間部はなめらかな曲面となっており、油井管内を流れる流体は、流動抵抗の小さい円滑な流動となる。
【図面の簡単な説明】
【００１３】
【図１】実施例の油井管ねじ継手を示す断面図である。
【図２】油井管及びねじ継手の部分を示す断面図である。
【図３】従来例の油井管ねじ継手を示す断面図である。
【符号の説明】
【００１４】
１０    ねじ継手
１１    シールショルダ
１２    内周面
１３    内周面
１４    段差（半径寸法の差異）
１５、１６    丸み
２１    上側の油井管
２２    下側の油井管
２３、２４    凹部
２５、２６    内周面
【図１】
2005256885.tif 000003
【図２】
2005256885.tif 000004
【図３】
2005256885.tif 000005
(57)【要約】【課題】  鋏、指ぬき等の小物を収納できて、これら小物類を取り出しやすく、縫製作業時は手首に取り付けて使用することが可能な針山を提供すること。【解決手段】  針山本体１の裏面に小物収納ケース２を取り付け、針山本体１に、指ぬき取付用のゴム紐３の一端部を固定すると共に、ゴム紐３の固定部からやや間隔をあけた位置に、ゴム紐３の他端部を着脱自在に係止する止め具９を装着してある。針山本体１の上面と下面とをその中央部で縫い止めて、針山本体１の厚みを中央部において薄くしたり、針山本体１又は小物収納ケース２の内部に磁石を埋設しても良い。【選択図】          図１
2005256188.tif 000002
【特許請求の範囲】
【請求項１】
針山本体の裏面に小物収納ケースを取り付け、前記針山本体に、指ぬき取付用のゴム紐の一端部を固定すると共に、該ゴム紐の固定部からやや間隔をあけた位置に、前記ゴム紐の他端部を着脱自在に係止する止め具を装着したことを特徴とする針山。
【請求項２】
前記針山本体の上面と下面とをその中央部で縫い止めて、該針山本体の厚みを中央部において薄くした請求項１に記載の針山。
【請求項３】
前記針山又は小物収納ケースの内部に磁石を埋設した請求項１又は２に記載の針山。
【発明の詳細な説明】
【技術分野】
【０００１】
本発明は、針山に関する。
【背景技術】
【０００２】
一般的な針山は、袋状の布製カバーの内部に綿等を詰めて成り、通常は裁縫箱の中に収納されている。
ところで、裁縫箱の内部には、針山以外にも鋏、指ぬき、糸通し等の小物が多数収納されて雑然としており、必要なときに簡単には見つからなかったり、糸に絡まって取り出せないこともある。
【発明の開示】
【発明が解決しようとする課題】
【０００３】
本発明が解決しようとする課題は、鋏、指ぬき等の小物を収納できて、これら小物類を取り出しやすく、縫製作業時は手首に取り付けて使用することが可能な針山を提供することにある。
【課題を解決するための手段】
【０００４】
本発明の針山は、針山本体の裏面に小物収納ケースを取り付け、前記針山本体に、指ぬき取付用のゴム紐の一端部を固定すると共に、該ゴム紐の固定部からやや間隔をあけた位置に、前記ゴム紐の他端部を着脱自在に係止する止め具を装着してある。
前記針山本体の上面と下面とをその中央部で縫い止めて、該針山本体の厚みを中央部において薄くすると良い。
前記針山本体又は小物収納ケースの内部に磁石を埋設しても良い。
【発明の効果】
【０００５】
請求項１に係る発明によれば、鋏等の小物を小物収納ケースに入れると共に、指ぬきをゴム紐に通して、針山本体と共に収納することができるので、縫製作業を行う際に取り出しやすい。また、ゴム紐を利用して針山を腕に取り付けた状態で、針山本体に刺した針を使用することができる。
請求項２に係る発明によれば、針山本体の厚みが抑えられるため、針が針山本体に潜ってしまうのを防止できる。
請求項３に係る発明によれば、作業後、散乱した針を磁石で吸着して簡単に集めることができ、小物収納ケースに収納した鋏等の金属製小物が脱出するのを防ぐことが可能である。
【発明を実施するための最良の形態】
【０００６】
以下、本発明の実施例を図面に基づいて詳細に説明する。
本発明の針山は、図１及び図２に示すように、針山本体１と、針山本体１の裏面に取り付けられた小物収納ケース２と、指ぬき取付用のゴム紐３とを有する。
針山本体１は、布製カバー４の内部に綿５等を詰めて成り、上面は複数の膨隆部によって花弁状に形成されると共に、上面と下面とがその中央部で縫い止められて花心状に形成されている。
従って、針山本体１は、花のような外観を呈し、その中央部において厚みが薄くなっているので、針１１を刺したとき、針１１全体が針山本体１に埋まって見えなくなるのを防ぐことができる。
【０００７】
小物収納ケース２は、複数枚重ねた布を素材として、一端が開口した扁平な筒状に形成され、その底部が針山本体１の裏面に固定されている。
また、小物収納ケース２の底部において、重ねた布の内部には薄板状の磁石６が埋設されている。
このため、小物収納ケース２に鋏７等の金属製の小物を収納すると、磁石６に吸着されて脱出しにくく、また、散乱した針に小物収納ケース２を近づけることによって、針を磁石６に吸着して集めることができる。
【０００８】
ゴム紐３の一端部は針山本体１の側面に固定され、ゴム紐３の他端部には環状部８が形成される。
また、針山本体１の側面において、ゴム紐３の固定部から間隔をあけた位置に、ボタンより成る止め具９が装着され、ゴム紐他端部に形成された環状部８がこの止め具９に着脱自在に係止されるようになっている。
そして、ゴム紐３の他端部を指ぬき１０に通して、環状部８を止め具９に係止することにより、指ぬき１０を針山本体１に結合して一緒に収納しておくことができる。環状部８を止め具９から外すと、指ぬき１０を簡単に取り出すことができる。
【０００９】
また、仮縫い時の寸法合わせのように、頻繁に針を針山本体１から取り出したり、針山本体１へ戻す場合には、指ぬき１０を取り外してから、ゴム紐３の環状部８を止め具９に係止し、図３に示すように、ゴム紐３と針山本体１との間に手首を差し込んで針山を手首に装着し、この状態で縫製作業を行うことも可能である。
なお、ゴム紐３の他端部を係止する止め具はボタンに限定されず、例えば、針山本体１とゴム紐３の他端部に、互いに着脱自在に係止される雌雄のスナップホック等を装着しても良い。
また、磁石６は、針山本体１の内部において針を刺すのに邪魔にならない位置、例えば、針山本体の裏面と小物収納ケース２との間、或いは、針山本体１の側部裏面寄りに埋設することも可能である。
【図面の簡単な説明】
【００１０】
【図１】本発明の実施例を示す針山の斜視図。
【図２】本発明の実施例を示す針山の断面図。
【図３】本発明の針山の縫製作業時における使用状態を示す斜視図。
【符号の説明】
【００１１】
１  針山本体
２  小物収納ケース
３  ゴム紐
４  布製カバー
５  綿
６  磁石
７  鋏
８  環状部
９  止め具
１０  指ぬき
１１  針
【図１】
2005256188.tif 000003
【図２】
2005256188.tif 000004
【図３】
2005256188.tif 000005
(57)【要約】      （修正有）【課題】  最近の若者はサングラスを数多くもっている。でも、それをしまって置く場所を考えると、なかなか無いものだ。そこで簡単に数多くのサングラスやメガネを場所を取らずにしまって置けるメガネ掛けを提供する。【解決手段】  １：プラスチック、金属、又はボール紙等から成る円筒型、又は多角筒型の筒型の周囲に幾つかの穴を開け、そこにメガネのツルを引っかけてメガネを掛けておく。  ２：その、筒型のメガネ掛けは二段、又は三段に伸びる仕組みになっており、不要の時は短く畳んでしまっておける。  ３：筒の内側はメガネが落ちにくいように滑り止め加工が施されている。  ４：又、本体の外側には磁石又は吸盤がついており、スチール製の家具に固定することも可能である。  以上のように構成されたメガネ掛け。【選択図】  図２
2005352432.tif 000002
【特許請求の範囲】
【請求項１】
１：プラスチック、金属、又はボール紙等から成る円筒形、又は多角形筒型の円筒（１）の周囲に幾つかの穴（３）を開け、そこにメガネのツルを引っかけてメカネ（９）を掛ける。  ２：その、筒型のメガネ掛け本体（１）は内部下方に下部突起部（７）と本体（２）の上部突起部（８）により二段又は三段に伸びる仕組みになっており、必要に応じてメカネの数に対応可能であり、不要の時は短くしまっておける。  ３：筒の内部はメガネのツルの滑り止め加工（４）が施されている。  ４：筒の上部には本体（１）を壁につるす為の穴（５）がある。  ５：又、本体（１）及び（２）の外側には磁石（６）、又は吸盤（６）が付いており、スチール製の家具に固定することも可能である。  以上のように構成されたメガネ掛け。
【請求項２】
請求項１のメガネ掛けにおいて、筒の内側は滑り止め加工された本体（１）のみで、二段、又は三段に伸縮せず、磁石と吸盤を取り外し、それを下方の土台に差し込み、メガネスタンドとして使用するメガネ掛け。参考図［図５］参照。
【請求項３】
請求項２のメガネ掛けにおいて、下方の土台（１１）を除いたメガネ掛け。
【発明の詳細な説明】
【発明の詳細な説明】
【０００１】  ［発明の属する技術分野］  本発明は、数多く所有するメガネを極めて効率よく整理し、場所を取らずにしまっておけて、しかも必要な時にはすぐに取り出せるようなメガネのみの保管用具を考えた。
【０００２】  ［従来の技術］  従来、メガネは数多くなると余分なメガネは引き出しの中にしまっていた。また、メガネスタンドなるものが製品化されているが、これは机のうえに置くもので、場所もとり、せいぜい２個しか収納できなかった。
【０００３】  ［発明が解決しようとする課題］  今日、メガネは多くの人にとってはファッヨンの一部である。特に若者にとってはその日の気分でサングラスを変える人が多い。  ところが引き出しの中にしまってしまうと自分のお気に入りのメガネがどこにしまったのか分からない場合が多い。日ごろよく使うメガネ、サングラスはよく目につく場所に置き、しかも場所を取らないことが一番の条件である。
【０００４】  ［課題を解決する為の手段］  本発明は、前記の課題を解決するには今までのメガネ収納とは異なり、より合理的でしかも、室内の場所を取らず、また見た目もファッショナブルな製品でなければならない。  場所を取らないようにするには、机の上に置くメガネスタンドは失格である。つぎに、少なくとも５本以上、７〜８本は収納可能でなければ意味がない。
【０００５】  ［発明実施の構造及びその形態］  図面参照の上説明する。  以上の条件を満たす為にまず壁につるす円筒形の筒（１）を考えた。その筒の材料としてはプラスチックの成型加工、又は金属、又はボール紙でも良い。  その上部には壁のクギに引っかける為の穴（５）が空いており、そこからひも（１０）でつるしてもよし、そのままクギに引っかけてもよい。
【０００６】  円筒形本体（１）の周囲にはメガネのツルを引っかける穴（３）が幾つか等間隔で幾何学模様的についており、メガネのツルをその穴（３）に引っかけてメガネをつるしておく。
【０００７】  円筒形本体（１）の内部には滑り止め加工（４）が施されており、メガネのツルが滑ってメガネが落ちにくくなっている工夫がある。
【０００８】  円筒形本体（１）の内部下方は、断面図からも分かるように内部円周上に突起部（７）が設けられて、円筒形本体（２）の上部内側に設けられた突起部（８）とが当たることにより、円筒形本体（１）と円筒形本体（２）がずり落ちることなく伸縮自在となり、使用する場合は長く延ばして数多くのメガネを掛けることが可能となり、不要の場合は折り畳んで短くして収納できる。
【０００９】  円筒形本体（１）及び（２）の裏側には磁石（６）又は吸盤（６）がついており、スチール製の家具などの場合、その壁面に磁石によって固定することができる。  以上のように構成されたメガネ掛け。
【００１０】  ［発明の効果」  従来のメガネスタンド式収納では机の上で場所を取り邪魔になる。又、収納本数も２本までと少ない。  従来のように引き出しの中に収納していたのでは、捜すのに面倒な場合もある。又、引き出しの中でメガネは結構場所を取る。  以上を考慮しても本発明はまず第一に場所を取らない。第二に数多くのメガネを同時に収納でき、数多くのメガネを判別でき、即座に取り出すことが可能である。  又、使用しないときは短く畳んでおき本体が場所を取ることもない。
【図面の簡単な説明】
【図１】本発明を短く畳んだ場合の外観図
【図２】本発明を長く伸ばした場合の外観図
【図３】本発明の断面図（接合部拡大）
【図４】本発明のメガネを掛けた使用図（メガネを掛ける穴は省略）
【図５】請求項２の参考図
【符号の説明】
１：円筒状の上部本体  ２：円筒状の下部本体  ３：メガネのツルを引っかける穴  ４：滑り止め加工した内部  ５：本体を壁に掛ける為の穴  ６：本体をスチールに固定するための磁石又は吸盤  ７：上部本体下部の滑り止め突起部  ８：下部本体上部の滑り止め突起部  ９：メガネ１０：ひも１１：スタンドの台
【図１】
2005352432.tif 000003
【図２】
2005352432.tif 000004
【図３】
2005352432.tif 000005
【図４】
2005352432.tif 000006
【図５】
2005352432.tif 000007
(57)【要約】      （修正有）【課題】  電子情報検索の効率化。【解決手段】  ユーザが現在見ているウェブの内容をブラウザソフトまたはウェブの内容を監視するソフトが解析し、そのサイトで重要視されていると思われる語句を自動的に判断する。そして、その語句を用いてサーチエンジンへ検索の問い合わせを行う。その検索結果はブラウザの別ウィンドウで開いたり、ブラウザ内の別フレームにて表示させたり、または検索結果を専用に表示させるソフトにて画面上に表示させる。【選択図】  なし【特許請求の範囲】
【請求項１】
インターネットの検索時、従来はユーザが能動的にサーチエンジンのWebサイトを訪れる等して検索を行っていた。
更にローカルマシンのファイル検索やイントラネット内の検索といった場合にもユーザが能動的に検索処理を行う必要があった。
これらの検索をユーザが自ら入力を行わずとも、自動的に実行するものである。
【発明の詳細な説明】
【技術分野】
【０００１】
本発明はインターネット、イントラネット等のコンピュータを通じて情報を検索する際にユーザの手間を省き、従来よりも更に多くの情報をユーザに提供する為のものである。
【背景技術】
【０００２】
従来、インターネット・イントラネット、ローカルコンピュータの情報検索にはサーチエンジンによる検索や、ローカルファイル閲覧ソフトによる検索処理をユーザが自ら実行させる必要があった。
【０００３】
今まではコンピュータの性能やネットワークの帯域などの問題の為に検索処理はユーザが必要と判断した場合におこなっていた。
【０００４】
しかし現在のコンピュータ、ネットワークの性能からすれば定期的に自動検索を行って、ユーザが必要としているであろう情報を常に提示する事が可能である。
【発明の開示】
【発明が解決しようとする課題】
【０００５】
本発明によって、インターネットやイントラネット、ローカルコンピュータの情報
検索におけるユーザの手間を省く。
【０００６】
従来のユーザからの受動的な検索だけではなく、ユーザの手にしている情報から更に次の情報を検索する事によりユーザの手間の軽減だけでは無く、今までよりも多くの情報をユーザへ提示する。
【課題を解決するための手段】
【０００７】
まず、インターネットの検索の場合であるが、従来であればＷｅｂブラウザからユーザが自分の手でサーチエンジンのサイトを訪れたり、サーチエンジン会社が提供するツール等を使用して検索を行っていた。
【０００８】
これを、ユーザが現在見ているＷｅｂの内容をＷｅｂブラウザソフトまたは、Ｗｅｂの内容を監視するソフトが解析し、そのＷｅｂサイトで重要視されていると思われる語句を自動的に判断する。
【０００９】
そして、その語句を用いてサーチエンジンへ検索の問い合わせを行うものである。
その検索結果はＷｅｂブラウザの別ウィンドウで開いたり、ブラウザ内の別フレームにて  表示させたり、又は検索結果を専用に表示させるソフトにて画面上に表示させる。
【００１０】
Ｗｅｂサイトからの語句の抽出はHTMLであればタグから、見出しや強調文字を取得するのが簡単であるが、学習機能を持たせれば、よりユーザの好みに沿った検索を行う事が出来る。
【００１１】
この自動検索をＷｅｂブラウズ中に定期的に行い、更にユーザが別のＷｅｂページを読み込んだ際にも自動検索を行う。
【００１２】
これによりユーザは自から意識せずとも、従来通りのＷｅｂブラウズを行いながらも、現在自分が手にしている情報と関連付いた、より多くの情報を取り込む事が出来るのである。
【００１３】
もちろん、ユーザがこれらの自動検索と同じ検索処理を任意のタイミングで行う事も可能であり、これによりユーザはわざわざ検索したい語句を入力する必要もなく、Webからの情報を元に簡単に検索を行える為、ユーザビリティーを向上させる事が出来る。
【００１４】
更にはファイル閲覧ソフトやテキストエディタ、ワープロソフトや表計算ソフト等のＷｅｂとは直接関係の無いものでも、そのソフトの内容を監視、又はそのソフトと連携を取ることにより、重要と思われる語句を抽出して、インターネットを経由してサーチエンジンにて自動的に検索を行う事が出来る。
【００１５】
上記の仕組みで重要な語句の抽出後にサーチエンジンではなく、イントラネット内のファイルやローカルコンピュータ内のファイルを検索するソフトで検索を行えば、これもまた欲しい情報に関連付いた更なる情報が手に入る。
【発明の効果】
【００１６】
従来、ユーザが能動的に行っていた検索の手間を省くことが出来る。
【００１７】
更に今までよりも頻繁に、情報の検索を行う事により、より多くの情報を手に入れる事が出来るようになる。
【００１８】
そして、今まで自らは能動的には検索をしなかった様な語句も自動的に検索される事により、従来の形態では得られなかった様な情報も広く手に入れる事が可能になる。
(57)【要約】【課題】  カメラの撮影レンズの焦点距離に応じて照射角を可変とするストロボ装置の作動を安定させる。【解決手段】  発光部と反射笠を備えた保持部材が、カメラの構成部材に摺動可能に取り付けられ、該保持部材の移動によって照射角を可変とするストロボ装置において、  該保持部材は、移動方向と略平行に設けられたＶ字状の溝を備え、該溝に複数の突起部を備えた弾性部材を係合させるようにしたことを特徴とする。【選択図】  図２
2005352399.tif 000002
【特許請求の範囲】
【請求項１】
発光部と反射笠を備えた保持部材が、カメラの構成部材に摺動可能に取り付けられ、該保持部材の移動によって照射角を可変とするストロボ装置において、
該保持部材は、移動方向と略平行に設けられた略Ｖ字状の溝を備え、該溝に複数の突起部を備えた弾性部材を係合させるようにしたことを特徴とする照射角可変ストロボ装置。
【請求項２】
前記発光部の前面に光学部材を配置し、該光学部材と発光部の距離が変わることにより照射角を変化させるようにしたことを特徴とする請求項１記載の照射角可変ストロボ装置。
【発明の詳細な説明】
【技術分野】
【０００１】
本発明は、カメラの撮影レンズの焦点距離に応じて照射角を可変とするストロボ装置の作動を安定させる構造に関するものである。
【背景技術】
【０００２】
従来より、カメラのストロボ装置で、キセノン管と反射笠と、そのホルダーからなる発光部ユニットと、フレネルレンズを備えた前面パネルとの距離を変化させて、ストロボ光の照射角を可変とした、照射角可変ストロボ装置が知られている。特に、本出願人による、特開２００３−０２１８６１号公報に開示されているプリズムのような光学部材を用いたストロボ装置で、このようなストロボを構成しようとすると、その発光部ユニットと光学部材の位置関係の精度、ズーム作動時の間隔変化の精度を高精度に保たないと、照射角やガイドナンバーがばらつくと言う問題があった。この発光部ユニットと光学部材の位置精度を高める方法として、本出願人による特開２００３−０５７７３１号公報に開示されているような、ストロボ発光部をバーを用いて保持する方法が知られている。
【特許文献１】特開２００３−０２１８６１号公報
【特許文献２】特開２００３−０５７７３１号公報
【発明の開示】
【発明が解決しようとする課題】
【０００３】
しかし、このようにバーを用いた従来の方式は、発光部ユニットのガタを除去するためにバーとの篏合部を長く取らなければならず、スペースを必要とする。また、発光部ユニットをズーム動作させる構造として、摺動するカム板に設けられたカム溝と、発光部ユニットから突出したピンとを係合させ、カム板を撮影レンズの作動に連動させて摺動させ、発光部ユニットと光学部材との間隔を変化させる構造が一般的だが、このピンとカム溝のガタで、発光部ユニットと光学部材との間隔が変化してしまうのを防ぐには、片寄せバネ等を備えなければならず、これもまたスペースを要し、カメラの小型化を阻む要因となっていた。
【課題を解決するための手段】
【０００４】
本発明では、発光部と反射笠を備えた保持部材が、カメラの構成部材に摺動可能に取り付けられ、該保持部材の移動によって照射角を可変とするストロボ装置において、
該保持部材は、移動方向と略平行に設けられたＶ字状の溝を備え、該溝に複数の突起部を備えた弾性部材を係合させるようにしたことを特徴とする。
【発明の効果】
【０００５】
本発明によれば、板バネに設けた複数の突起部と、発光部のホルダーに設けたＶ字状の溝とを係合させると言う簡単な構造で、発光部ユニットと、光学部材の位置関係の精度、ズーム作動時の間隔変化の精度を高精度に保ちつつ、小型でスペースを要しない照射角可変ストロボ装置を提供できる。
【発明を実施するための最良の形態】
【０００６】
（実施例１）
図１乃至図４により、本発明の実施例を説明する。
【０００７】
図１は本発明のストロボ装置の背面斜視図、図２はその分解斜視図、図３及び図４はその断面を示すもので、１は発光部であるキセノン管、２は反射笠、３はホルダーで、キセノン管取り付けゴム４によって、キセノン管１と反射笠２はホルダー３に取り付けられて発光部ユニットを構成している。５は地板で、ホルダー３に４ヶ所設けられた足部３ａと、地板５に設けられたリブ部５ａとが係合することにより、ホルダー３は脱落することなく、前後方向に摺動可能に地板５に取り付けられている。６はライトガイドのような光学部材で、地板５の２個の突起部５ｂに取り付けられ、前述の発光部ユニットの発光光を集光する機能を有している。７はカム板で地板５の下面に設けられた足部５ｃと係合し、図横方向に摺動可能に取り付けられ、カム板７の上面には複数のカム溝７ａが形成され、ホルダー３のピン３ｂと係合し、カム板７が図横方向に摺動することによって、発光部ユニットが前後に摺動する構成となっている。８は板バネで、地板５の台座部５ｄにビス９で取り付けられ、その先端部には球状の突起部８ａが２個設けられており、取り付け状態で板バネ８は変形し、突起部８はホルダー３の後方のＶ字状の溝３ｃと係合しつつ、ホルダー３を図下面方向に押し付けている。
【０００８】
次に上記構成の動作について説明する。図３はワイド状態を示し、図示しないカメラのズームレンズがワイド状態からテレ状態にズーム動作すると、それと連動して、カム板７が図１の右方向（図３の断面図では図面後方）に摺動する。すると、カム溝７ａがホルダー３のピン３ｂを押して、ホルダー３を後方に作動させ、テレ状態となる。図４は、テレ状態を示す断面図である。
【０００９】
板バネ８の作用について説明すると、２個の突起部８ａがホルダー３の溝３ｃと係合することにより、まずホルダー３と地板５との係合で、横方向のガタが発生しても、突起部８ａの球面が溝３ｃの斜面を押すことにより横方向の分力が発生し、横方向のガタが押さえられる。次に作動時については球状の突起部８ａが２個あることにより、横方向の回転が規制され、前後方向の作動では一定の軌跡を通る。さらに、板バネ８はホルダー３を下方向に押し付けることにより摩擦力が発生し、ホルダー３のピン３ｂとカム板７のカム溝７ａとのガタが存在しても、例えばカメラを下向きにしたときなどにストロボユニットが、ピン３ｂとカム溝７ａとのガタ分動いてしまうといった不具合が発生することがない。
【図面の簡単な説明】
【００１０】
【図１】本発明の一実施例を示す、背面斜視図。
【図２】図１の分解斜視図。
【図３】図１の断面図で、ワイド状態を示す図。
【図４】図１の断面図で、テレ状態を示す図。
【符号の説明】
【００１１】
１  キセノン管
２  反射笠
３  ホルダー
３ｃ  Ｖ字状の溝
５  地板
７  カム板
８  板バネ
８ａ  突起部
【図１】
2005352399.tif 000003
【図２】
2005352399.tif 000004
【図３】
2005352399.tif 000005
【図４】
2005352399.tif 000006
(57)【要約】【課題】各種の化粧料を収容した複数の化粧料をまとめて一つの容器体とし、必要とする化粧料を迅速に、且つ、容易に取り出すことができるような構造にして、また、前記容器体を円形状の小型にできて、持ち歩くのにも便利な形状をした化粧料容器を提供する。【解決手段】一対の円形の上板と底板の中心点から上板と底板の間に多数の隔壁板を外周縁に向かって挾着し、側壁の空部にキャップが装着した側壁板が密着して多数の小容器を有する。【選択図】図１
2005080672.tif 000002
【特許請求の範囲】
【請求項１】
一対の円形の上板と底板の中心点から上板と底板の間に多数の隔壁板を外周縁に向かって挾着し、側壁の空部にキャップが装着した側壁板が密着して多数の小容器を有することを特長とする化粧容器。
【発明の詳細な説明】
【技術分野】
【０００１】
本発明は、多種の化粧料を一つにまとめた携帯に便利な化粧用具に係わるものであり、更に詳細には、シャンプーやリンス、その他の異なる化粧料を別々に収容した複数の化粧小容器を円形状の容器に収納して、且つ、それぞれにキャップを設けて出し入れが自由にできる小形の携帯用に適した化粧容器に関するものである。
【背景技術】
【０００２】
以前から、シャンプーやリンス、あるいは、種々のクリームや化粧液等の各種の化粧料は、それぞれが別々の容器に収容されていて、それらを使用するには必要な化粧料が入った容器を取り出して化粧をしなければならないので、常に幾つかの容器を取り揃えて置かなくてはならず、化粧台やハンドバックなどの中は数多くの容器で一杯になって、必要なものを探し出したり、持ち歩くのに不便な場合があり、また、使用するに際しても、必要とする化粧容器を一つ一つ手に持って、それぞれの化粧容器の蓋を開け閉めしなくてはならず、非常に面倒な場合があった。特に旅行などに用いられる小型の容器は、長方形の形状の容器が多く、必要なものを多数持参した場合は、長方形という形状は収まり悪く取り出し難いなどの不便さがあった。
【特許文献１】特開２００２−２９１５１９号公報
【発明の開示】
【発明が解決しようとする課題】
【０００３】
従来の化粧用容器は、一つの化粧料に一つの容器で形状も大きく、携帯用として持ち歩くにはいささか不便である、そのため携帯用の容器が市販されているが、それらの容器は同じ形状で、特に長方形の容器が多く、ハンドバックの中に雑然と入れられ、収まりが悪く取り出すときにも同じ形状で化粧料を間違えて使用したり、目的の容器を探し出すのに不都合があった。またこれらの市販容器は取り出し口のキャップ部分が小さいために化粧料の補充にも時間がかかって不便であった。そこで、本発明は、上記のような従来の欠点を改良して、各種の化粧料を収容した複数の化粧料をまとめて一つの容器体となしても、必要とする化粧料を迅速に、且つ、容易に取り出すことができるような構造にして、また、前記容器体を円形状の小型にできて、持ち歩くのにも便利な形状をした化粧料容器を提供する。
【課題を解決するための手段】
【０００４】
本発明は、上記目的を達成するため、請求項１記載の発明は、一対の円形の上板と底板の中心点から上板と底板の間に多数の隔壁板を外周縁に向かって挾着し、側壁の空部にキャップが装着した側壁板が密着して多数の小容器を有することを特長とする。
【発明の効果】
【０００５】
以上、述べたように、本発明は、異なる化粧料を別々に複数の化粧小容器に収納した小型の円形状の一つの容器体となした化粧容器で、且つ、それぞれにキャップを設けて補充や抽出が簡単にできるので旅行や外出時の持参に効果がある。また、旅行など外泊する時には１つ１つの容器を多数もっていくよりも一つの容器体となしているので紛失の心配がない。また化粧品メーカの販売戦略として、普段はあまり需要の少ないものと需要の多いものとを容器にセットとして販売することにより、利益を高める効果を奏する。
【発明を実施するための最良の形態】
【０００６】
上板と底板を持つ円形状の一つの容器体の側壁に多数の小分した化粧小容器にキャップが装着したことで実現した。
【実施例】
【０００７】
以下に実施例を挙げ、本発明の多種の化粧料を収納する化粧容器について、図面を参照して詳細に説明する。
図１は、この発明に係わる多種の化粧料を収納する化粧容器１の実施例を示す斜視図である。
図２は、この発明に係わる多種の化粧料を収納する化粧容器１の実施例を示す平面図である。
図３は、この発明に係わる多種の化粧料を収納する化粧容器１の実施例を示すキャップの断面図である。
本発明の多種の化粧料を収納する化粧容器１の上面には円形の上板２と底面には上面と同一の底板３とで一対となし、上板２と底板３の中心点４から外周縁５に向かって隔壁板６を挾着する、側壁の空部にキャップ８を装着した側壁板７が密着している、キャップ８は内側のねじ条８ａと側壁板７に固設された口部８ｂのねじ条８ａで螺合され化粧料が漏れないように工夫されている、図１は本発明の斜視図で円形状の一つの容器体に小容器１０を有する概要を示している。
小容器１０の上板２にラベル９を貼着すれば化粧料の間違いを無くすることができる。
また中心点４に対して小容器は三角形の形状になるため、側壁面を上に向けると化粧料は三角形の隅に集まり、化粧ポンプを使えば化粧料を最後まで使えるという利点もある。
【産業上の利用可能性】
【０００８】
本発明は、小型で多種の化粧料を収納できることから携帯用の化粧容器として有効であるが、内容物は化粧料以外の例えば海外旅行などに持参する塩や胡椒や醤油など広い用途にも適用できる。
【図面の簡単な説明】
【０００９】
【図１】本発明に係わる多種の化粧料を収納する化粧容器１の実施例を示す斜視図である。
【図２】図１に示した多種の化粧料を収納する化粧容器１の平面図である。
【図３】図１に示した多種の化粧料を収納する化粧容器１のキャップ部の断面図である。
【符号の説明】
【００１０】
１    多種の化粧料を収納する化粧容器
２    上板
３    底板
４    中心点
５    外周縁
６    隔壁板
７    側壁板
８    キャップ
８ａ  ねじ条
８ｂ  口部
９    ラベル
１０  小容器
【図１】
2005080672.tif 000003
【図２】
2005080672.tif 000004
【図３】
2005080672.tif 000005
(57)【要約】【課題】  従来の健康食品の大麦若葉の青汁が、より健康に効果的な食品として健全活用する方法は無いものかと、品質向上を目的に解決の課題とした。【解決手段】  その結果、健康食品の大麦若葉の原料に、ガン予防効果がある茸のアガリクスの粉末と水溶液のエキスを配合混入処理して解決の手段とした。【特許請求の範囲】
【請求項１】
アガリクス茸を原料とした粉末を健康食品の大麦若葉に配合混入した、アガリクス入り大麦若葉。
【請求項２】
アガリクス茸を原料とした水溶液のエキスを健康食品の大麦若葉に配合混入した。請求項１のアガリクス入り大麦若葉。
【発明の詳細な説明】
【発明の詳細な説明】
【技術分野】
【０００１】  この発明は、健康食品の大麦若葉が、健康と同時にガンの予防効果が上がるように、茸のアガリクスを原料として乾燥粉末にしたもの、又は、水溶液を濃縮したエキスを大麦若葉に配合混入した健康食品である。
【背景技術】
【０００２】  従来、大麦若葉は、錠剤や粉末として健康食品として、広く市販されているが、ガン予防としては、今一つ効果的なものは無かった。
【発明を解決しょうとする課題】
【０００３】  従来の健康食品の大麦若葉の青汁が、より健康に効果的な食品として健全活用する方法は無いものかと、品質向上を目的に解決の課題とした。
【課題を解決するための手段】
【０００４】  その結果、健康食品の大麦若葉の製品に、ガン予防効果がある茸のアガリクスの粉末と水溶液のエキスを配合混入処理して解決の手段とした。
【発明を実施するための最良の形態】
【０００５】  本発明の実施の形態を述べると、大麦若葉所謂、大麦若葉は植物繊維が多量に含まれて栄養バランスがとれており、特殊加工をして錠剤粉末にしたもので健康食品として広く一般家庭に利用されている。此の大麦青汁に茸のアガリクスの粉末、濃縮した水溶液のエキスを大麦青汁の粉末エキスに配合混合したものである。
【発明の効果】
【０００６】  本発明のアガリクスを配合混入した、大麦青汁を健康食品として愛用飲すると、大麦青汁だけの只栄養に重点を置いた生活習慣病的な健康の改善だけでなく、新聞や雑誌に掲載されて居るとおり、ガンの予防、転移、再発防止に効果的であるので、アガリクス入り大麦青汁を摂取することで、ガン患者にとってはこの上もない福音である。
このように、大麦青汁は健康食品としての付加価値が上がり、ガン予防に効果があることは医療費の軽減になり社会生活に貢献するものであり、ひいては産業経済の発展に寄与するものである。
(57)【要約】【課題】ペットのトイレで毎回汚れたシートを取り替えるたびにシートの押さえ枠をはずし、新しいシートをセットし再び枠で押さるという作業を１日に何度もする煩わしさを容易に交換できるようにするのが目的である。【解決手段】トイレ本体１にシートを数枚ストックすることができるようにした。シート５は押さえ枠２と強力磁石３によりズレないようにおさえている。しっかりかつ容易におさえている為、ストックされているシート５を上部より引っ張り出すことができる。これにより汚れたシートを引っ張り出すことで、下にストックされているシート５が表面に出ることでシーツ交換が終了するようにした。【選択図】  図２
2005080648.tif 000002
【特許請求の範囲】
【請求項１】
トイレにシートがストックできるようにしたペット用トイレ。
【請求項２】
ストックされているシートがズレないように押さえ枠が、強力磁石で固定されているペット用トイレ。
【請求項３】
汚れたシートを上部から引っ張り出すことで、新しいシートが表面に出される。この作業でシート交換が終了するペット用トイレ。
【発明の詳細な説明】
【発明の詳細な説明】
【発明に属する技術分野】
【０００１】この発明は、ペット用トイレでシートがストックできることによりシート交換がトレイの枠をはずす事なく容易にできるようにしたものである。
【背景技術】
【０００２】従来は、トイレにシートを１枚しかセットできず、毎回シート交換の度にシートを止めている枠をはずしシート交換し再び枠で止めるというものであった。【０００３】
【特許文献１】この種のペット用トイレには特開平８−５６５２２号公報に開示されているものがある。
【発明が解決しようとする課題】
【０００４】シート交換の度にトレイの枠をはずし、シート交換をし、再び枠で押さえるという作業を１日に何度もするのでこの煩わしさを解消するためになされたものである。
【課題を解決するための手段】
【０００５】トイレ本体１にシートをストックできるようにした。
ストックされているシート５がズレないように押さえ枠２に強力磁石３をつけた。
これにより上部からシートを引っ張り出すことが出来るようにした。
【発明の実施形態】
【０００６】以下、本発明の実施の形態について説明する。
（イ）トイレ本体１に磁石受金具４をつける。
（ロ）ストックされているシート５をズレないように押さえ枠２に強力磁石３をつける。
（ハ）トイレ本体１の上にシート数枚をセットし、上から押さえ枠２でシート５をおさえる。
【発明の効果】
【０００７】初めにシートを数枚ストック５することで、汚れたシートをトイレ上部から引っ張り出しただけで新しいシートが表面に出される為、シート交換が終了。交換の度に押さえ枠を外すことなくシート交換がすばやく簡単にできるようになった。
【図面の簡単な説明】
【図１】本発明の立体図である。
【図２】本発明の使用状態を示す断面図である。
【図３】本発明の押さえ枠（３）底面図である。
【図４】本発明のトレイ本体（１）平面図である。
【符号の説明】
１  トイレ本体
２  押さえ枠
３  強力磁石
４  磁石受金具
５  シート
【図１】
2005080648.tif 000003
【図２】
2005080648.tif 000004
【図３】
2005080648.tif 000005
【図４】
2005080648.tif 000006